(57)【要約】      （修正有）【課題】従来コンテンツの表示スケジュールの変更などは、コンテンツを作成、登録しなおさなければならず、ユーザにとって非常にわかりづらく時間のかかるものであった。【解決手段】複数の画像フォーマットを記憶する画像フォーマット記憶部と、情報提供元より複数のコンテンツを受信するコンテンツ記憶部と、前記画像フォーマットとコンテンツを表示する画像編集部とより構成される画像表示システムであって、前記画像編集部は前記データ記憶部のデータが第一の画像フォーマットにて表示されているとき、前記第一の画像フォーマットと第二の画像フォーマットを置き換え可能であることを特徴とする画像表示システム。【選択図】図１２
2005004525.tif 000002
【特許請求の範囲】
【請求項１】
複数の画像フォーマットを記憶する画像フォーマット記憶部と、
情報提供元より複数のコンテンツを受信するコンテンツ記憶部と、
前記画像フォーマットとコンテンツを表示する画像編集部と
より構成される画像表示システムであって、
前記画像編集部は
前記データ記憶部のデータが第一の画像フォーマットにて表示されているとき、前記第一の画像フォーマットと第二の画像フォーマットを置き換え可能であることを特徴とする
画像表示システム。
【発明の詳細な説明】
【０００１】
【発明の属する技術分野】
本発明は配信情報の表示方法に係り、特に端末が受信した配信情報を、ネットワークに接続されたクライアント端末に配信して表示させる画像表示システムに関するものである。
【０００２】
【従来の技術】
本発明を適用する画像配信システムについて図１を用いて説明する。図１は、文字ニュースや株価情報を専門に取り扱っている第一の情報配信業者から情報を取得するサーバー▲１▼と、写真ニュースや投信情報を専門に取り扱っている第ニの情報配信業者から情報を取得するサーバー▲２▼と、それら情報配信業者から情報を受信する複数のクライアント１〜ｎと、情報配信業者と各クライアントをつなぐインターネットやＷＡＮ（ｗｉｄｅ  ａｒｅａ  ｎｅｔｗｏｒｋ）などのネットワークにより構成されている。
【０００３】
クライアント２からｎは第一のサーバー▲１▼や第二のサーバー▲２▼より、ネットワーク経由で情報を受信するため、クライアント１と同様のモデム、ルーターが含まれた構成となっているが、ここでは省略している。
クライアント１からクライアントｎは情報のやりとりができるようネットワーク経由でつながっている。
【０００４】
続いて、画像表示システムのサーバーの具体的構成について図２を用いて説明する。図２は図１のサーバ▲１▼やサーバ▲２▼に該当する。外部データ取得部２１は、図示しない情報配信業者からの情報を専門に受信するものであり、受信部２３はその他の情報をネットワーク経由で受信するものである。データ蓄積部２４は受信した情報を蓄積し、データ解析部２２は蓄積された情報を解析する。例えば、情報配信業者からどのような情報を受信したのか等である。送信部２５は各クライアントへ、編集部２６により編集した受信情報を送付するものである。
【０００５】
図３は図１の表示部の具体的構成である。受信部３１は表示制御装置より情報を受信し、データ蓄積部３２は表示制御装置より受信した情報を蓄積し、送信部３３は表示部３４蓄積された情報を送信するものである。制御部３５はこれらの構成を制御するものである。
【０００６】
図４は図１の表示制御部の構成図である。外部データ取得部４１は、専用のサーバーより情報を専用に受信するものであり、受信部４３はその他の情報をネットワーク経由で受信するものである。データ蓄積部４４は受信した情報を蓄積し、データ解析部４２は蓄積された情報を解析する。例えば、情報配信業者からどのような情報を受信したのか等である。送信部４５は各クライアントへ、編集部４６により編集した受信情報を送付するものである。
【０００７】
コンテンツの画面は例えば図５、６のようになっている。ここでは、銘柄名１や現在値２など、パラメータで表現されているが、実際には受信したデータを表示している。図５のチャート図は、受信したデータより、コンテンツを表示する端末が生成している。これらのフォーマットはスケジュールに予め組み込んでいる。
【０００８】
続いて、サーバーやクライアントの編集部について説明する。
編集部は、外部データ取得部や受信部により受信した情報を編集するものであり、例えば受信したコンテンツを一つの画面にまとめたり、クライアント毎に設定された表示フォーマットにまとめたり、クライアント毎の表示スケジュールを編集したりするものである。これらの作業は、編集部に設けた操作部により行う。
【０００９】
次に、操作部によるコンテンツの編集について、図７、９、１１を用いて具体的な作業を説明する。これらは予めコンテンツの表示スケジュールに組み込むものである。
図７は画面フォーマットの入力例である。図７（ａ）は、ページと画面フォーマットの組み合わせを表示する例である。画面フォーマットは、画面フォーマット選択リストのように、あらかじめどのようなコンテンツを表示するかが決まっている。ページは、例えば図７（ｂ）のように、表示配置、表示銘柄から任意の配置が可能であり、表示銘柄は表示銘柄一覧より選択することとなる。
【００１０】
例えば、２ページ目に「株式４本値＋ニュース（上）」を表示するときは、選択銘柄一覧より「日立国際電気」を選択し、１行目に設定する。また、Ａ社を選択銘柄一覧より選択肢、２行目に設定する。これにより、２ページ目の各銘柄は、画面フォーマットより選択した「株式４本値＋ニュース（上）」が画面に出力されることとなる。
【００１１】
図９は従来のスケジュール設定方法である。
受信したコンテンツを元にユーザーや管理者が作成し（Ｓ９２）、さらに作成したコンテンツを登録する（Ｓ９３）。次に表示したい銘柄を選択、登録する（Ｓ９４）。スケジュールに必要なコンテンツがそろったかどうか確認し（Ｓ９５）、揃っていればコンテンツの表示順序を設定する（Ｓ９６）。
【００１２】
図１１は従来のスケジュール変更方法である。コンテンツの追加があるか否かを判断し（Ｓ１１２）、追加がある場合はユーザーや管理者がコンテンツを作成し（Ｓ１１３）、登録する（Ｓ１１４）。コンテンツの変更があるか否かを判断し（Ｓ１１５）、変更があればユーザーや管理者がコンテンツを変更し（Ｓ１１６）変更コンテンツを新たに登録する（Ｓ１１７）。スケジュールに必要なコンテンツが揃っているか否かを判断し、揃っていればコンテンツの表示順序を設定する（Ｓ１１９）。
【００１３】
これらの情報表示システムにおいてのコンテンツの書き換えについては例えば特許文献１に、コンテンツの表示方法については例えば特許文献２に記載されている。
【００１４】
【特許文献１】
特開２００２−３４２０６３
【特許文献２】
特開２００２−１０８５２６
【００１５】
【発明が解決しようとする課題】
従来の方法ではコンテンツの作成、登録、スケジュールの変更方法は、直接コンテンツプログラムを変更するため、ユーザーにとっては非常にわかりづらく、また時間がかかることがあった。
さらに、１コンテンツを登録するために１ＨＴＭＬファイルを登録する必要がある、図９に記載されているように表示銘柄の変更時にもコンテンツを作成、登録しなおさなければならない、図１１にも記載されているようにスケジュール変更時に変更、登録作業を行う必要がある、等の問題があった。
【００１６】
【課題を解決するための手段】
本発明は上記問題に鑑みたものであり、上記問題を解決するために複数の画像フォーマットを記憶する画像フォーマット記憶部と、情報提供元より複数のコンテンツを受信するコンテンツ記憶部（データ蓄積部）と、前記画像フォーマットとコンテンツを表示する画像編集部とより構成される画像表示システムであって、前記画像編集部は前記データ記憶部のデータが第一の画像フォーマットにて表示されているとき、前記第一の画像フォーマットと第二の画像フォーマットを置き換え可能であることを特徴とする画像表示システムを提供する。
【００１７】
【発明の実施の形態】
本発明では、頻度の高い画面フォーマットを予め作成することに特徴がある。コンテンツの表示スケジュールを変更するときは、画面フォーマットを入れかえることにより、簡単に行うことが可能となる。
【００１８】
以下に本発明の詳細を説明する。
本発明では、図１から図４の構成を利用した従来のシステムと同様のシステムを利用する。
【００１９】
本発明の特徴である画面フォーマット選択フィルタの選択イメージを図１２を用いて説明する。図７で説明したように、ページ単位に画面フォーマットを設ける。ここでは、画面フォーマットを、例えば通常表示する画面フォーマット１、通常表示する画面フォーマットとは別表示の画面フォーマット２をページ単位のフォルダに格納する。画面フォーマットを格納したフォルダには、画面フォーマットの具体的プログラム（例えばソース）が表示されている「市況コンテンツ．Ｈｔｍ」が格納されている。
【００２０】
「市況コンテンツ．Ｈｔｍ」は、例えば図１２（Ｃ）のようにキーワードを入力する項を設けている。これは通常は画面フォーマット１を表示するように指示するものである。画面フォーマット２でコンテンツを表示したいときは、画面フォーマット２のキーワードに置きかえる。これにより、表示画面は画面フォーマット１から画面フォーマット２に替わる。
【００２１】
図１３を用いて画面フォーマット選択フィルタの流れについて説明する。まずブラウザを起動し（Ｓ１５２）、その後キーワードを検索する（Ｓ１５３）。次にキーワードを画面フォーマットに置きかえる（Ｓ１５４）。置き換えたファイルの内容で起動し、画面を表示する（Ｓ１５５）。これにより表示フォーマットが置き換わる。
【００２２】
図８を用いて本発明のスケジュール設定方法を説明する。ページに画面フォーマットを設定し（Ｓ８２）、さらに表示銘柄を選択する（Ｓ８３）。銘柄選択後、表示位置を指定し（Ｓ８４）、スケジュールに必要なコンテンツが揃ったか否かを確認する（Ｓ８５）。スケジュールが揃った場合は、スケジュールを設定する（Ｓ８６）。
【００２３】
図１０を用いてスケジュールの変更方法を説明する。コンテンツの追加があるか無いかを判断し（Ｓ１０２）、ある場合は新たなページに画面フォーマットを設定する（Ｓ１０３）。次にコンテンツの変更があるか否かを判断し（Ｓ１０４）、変更があれば該当ページの画面フォーマットを変更する（Ｓ１０５）。次にスケジュールに必要なコンテンツは揃っているか否かを確認し（Ｓ１０６）、揃っていればスケジュールの変更設定を終了する（Ｓ１０７）。
【００２４】
従来の方法ではスケジュールに組み込む必要のあるコンテンツを１つ１つ作成しなくてはならなかったが、本発明により入力画面にてユーザが表示したい画面フォーマットを選択するだけで、ユーザの希望の画面フォーマットでコンテンツを表示することができる。
【００２５】
また、従来では表示したいコンテンツが無ければ作成または登録しなくてはならなかったが、本発明により入力画面にて画面フォーマット及び表示銘柄を変更するだけでスケジュールの変更が可能となる。
【００２６】
【発明の効果】
本発明に依れば画面フォーマットがあらかじめ登録されているため、入力画面から画面フォーマットを選択するだけで、表示コンテンツを設定することが可能となる。
【００２７】
また、スケジュールの変更時は、入力画面から画面フォーマット、表示銘柄の変更をすれば、コンテンツを新たに登録する必要が無い。
【図面の簡単な説明】
【図１】画像表示システム
【図２】サーバー
【図３】表示部
【図４】表示制御部
【図５】コンテンツ表示画面
【図６】コンテンツ表示画面
【図７】画面フォーマット入力図
【図８】本発明のスケジュール設定方法
【図９】従来のスケジュール設定方法
【図１０】本発明のスケジュール変更方法
【図１１】従来のスケジュール変更方法
【図１２】画面フォーマット置き換えイメージ図
【図１３】画面フォーマット置き換えフロー
【符号の説明】
１〜ｎ…クライアント
２１…外部データ取得部  ２２…データ解析部  ２３…受信部
２４…データ蓄積部  ２５…送信部  ２６…編集部
３１…受信部  ３２…データ蓄積部  ３３…送信部  ３４…表示部  ３５…制御部
４１…外部データ取得部  ４２…データ解析部  ４３…受信部  ４４…データ蓄積部  ４５…送信部  ４６…編集部
【図１】
2005004525.tif 000003
【図２】
2005004525.tif 000004
【図３】
2005004525.tif 000005
【図４】
2005004525.tif 000006
【図５】
2005004525.tif 000007
【図６】
2005004525.tif 000008
【図７】
2005004525.tif 000009
【図８】
2005004525.tif 000010
【図９】
2005004525.tif 000011
【図１０】
2005004525.tif 000012
【図１１】
2005004525.tif 000013
【図１２】
2005004525.tif 000014
【図１３】
2005004525.tif 000015